(57)【要約】【課題】  バランス調整が容易で高精度にでき、かつ、取り付けるワーク形状に影響を受けずにバランス調整ができる回転体のバランス調整構造を提供する。【解決手段】  回転対象物（ワーク）を取り付ける回転体の一部を構成する回転板３には、等角度間隔で半径方向におもり収容穴１１が設けられ、複数のバランス調整構造が設けられている。該穴１１に設けられた雌ネジと螺合する雄ねじを備えたおもり１２が穴１１内に配置されている。該おもり１２には弾性体１３が接続され、該弾性体１３を圧縮するようにしてストッパ１４が回転板３の外周部で穴１１に固着されている。弾性体１３ストッパ１４に設けられたは貫通穴に工具を通し、おもり１２を回転させて、おもり１２の半径方向の位置を変えて回転体のバランス調整を行う。バランス調整を無段階で行うことができ、正確に振動を抑制できる。又、ワークがバランス調整の邪魔とはならない。【選択図】          図３
2007040480.tif 000002
【特許請求の範囲】
【請求項１】
シャフトと、該シャフトの端部に固定され回転対象物を取り付ける手段を備えた回転体のバランス調整構造において、
前記回転体と一体的な回転板を備え、
該回転板には半径方向に向けて穿たれた複数のおもり収容穴と、該おもり収容穴に収容されたおもりと、該おもりの収容位置を径方向に調整する調整手段とを備えたことを特徴とする回転体のバランス調整構造。
【請求項２】
前記調整手段は、前記おもり収容穴に設けられた雌ネジと該雌ネジと螺合する前記おもりに設けられた雄ネジで構成され、該おもりを回転させることにより、おもり収容位置を半径方向に調整することを特徴とした請求項１記載の回転体のバランス調整構造。
【請求項３】
前記おもりの回転板外周側に弾性体を備え、該弾性体の回転板外周側にストッパを備え、該ストッパに支持された前記弾性体により前記おもりが回転板中心に向って押される状態で収容位置が保持され、かつ、回転板外周面から、前記ストッパと前記弾性体とに設けられた貫通穴に調整工具を通して、前記おもりを回転させておもり収容位置を調整可能としたことを特徴とする請求項２記載の回転体のバランス調整構造。
【発明の詳細な説明】
【技術分野】
【０００１】
回転体のバランス調整構造に関する。
【背景技術】
【０００２】
回転体のアンバランスは回転体に振動を発生させる。そのため、工作機械の主軸などの高速回転軸の回転体においては、この回転体のアンバランスが機械や加工に悪影響を与える。特に、超精密加工の分野における主軸では、このバランス調整に数ｍｇ・ｃｍといった微小な調整を必要とする。従来、この回転体バランス調整方法として、回転体を削ることによって、又は平衡用のおもりを回転体に付加することによって、回転体のバランスを保持する方法が採用されている。
【発明の開示】
【発明が解決しようとする課題】
【０００３】
回転体のバランス調整方法として、回転体を削ってバランスを取る方法の場合、削り取るだけの一方向だけで、重量を付加することはないことから、微小な調整が難しいという問題がある。特に回転体が超精密加工機械の主軸のような場合、微小なバランス調整が必要なため、この回転体を削り取る方法での調整は難しい。又、削り取った切粉が発生するため環境を考える必要がある。  
おもりを付加することによってバランスを調整する方法は、おもりとして粘土などを使用する場合は、粘土を付加して回転体を回転させバランス調整を行ったとき、粘土自体が遠心力によって変形しバランス調整が難しいという問題や、バランス調整作業において、一定量のおもりを回転体に取り付けてアンバランス量を測定し、その後おもりを取り外すなどの作業では、この粘土の取り付け、取り外しを繰り返し行わねばならず、この作業が難しい。また、取り付け位置が回転体の内周側に限定されてしまという欠点がある。バランス調整用おもりとしてネジを使用する場合、従来は、回転体の端面に調整用の雌ネジを設け、該雌ネジにバランス調整用おもりとしての雄ねじを螺合させてバランス調整が行われていた。しかし、この方法は、バランス調整用おもりとして各種重さの雄ねじを用意しておかねばならないという問題がある。
【０００４】
又、主軸などの回転体にはワークが取り付けられてバランス調整がなされるが、ワークは回転体の端面に取り付けられることから、ワークを取り付ける回転体の端面にバランス調整用のおもりを付加して調整することは、ワークの形状を回転体のバランス調整可能な形状とする必要がある。ワークの形状によっては、このバランス調整ができないような場合が生じる。
【０００５】
そこで、本発明の目的は、上述した従来技術の問題点を改善し、取り付けるワーク形状に影響を受けず、バランス調整が容易で高精度にできる回転体のバランス調整構造を提供することにある。
【課題を解決するための手段】
【０００６】
本願請求項１に係る発明は、シャフトと、該シャフトの端部に固定され回転対象物を取り付ける手段を備えた回転体のバランス調整構造において、前記回転体と一体的な回転板を備え、該回転板には半径方向に向けて穿たれた複数のおもり収容穴と、該おもり収容穴に収容されたおもりと、該おもりの収容位置を径方向に調整する調整手段とを備えたことを特徴とするものである。  
請求項２に係る発明は、前記調整手段が、前記おもり収容穴に設けられた雌ネジと該雌ネジと螺合する前記おもりに設けられた雄ネジで構成されているものであり、該おもりを回転させることにより、おもり収容位置を半径方向に調整してバランス調整を行うようにしたものである。  
さらに、請求項３に係る発明は、前記おもりの回転板外周側に弾性体を備え、該弾性体の回転板外周側にストッパを備え、該ストッパに支持された前記弾性体により前記おもりが回転板中心に向って押される状態で収容位置が保持され、かつ、回転板外周面から、前記ストッパと前記弾性体とに設けられた貫通穴に調整工具を通して、前記おもりを回転させておもり収容位置を調整可能としたものである。
【発明の効果】
【０００７】
回転体の半径向におもりを移動させてバランス調整が無段階でできることから、バランス調整が容易で高精度に行なうことができる。そのため、振動を正確に低減させることができる。回転対象物が加工を行うワークの場合、振動が極めて低いことから、高精度の加工ができる。さらに、回転体に取り付ける回転対象物の形状に影響を受けずにバランス調整が可能となり、回転対象物が加工を行うワークなどの場合には、このワークの設計に自由度がます。
【発明を実施するための最良の形態】
【０００８】
以下、本発明の一実施形態を図面と共に説明する。  
本実施形態のでは回転体として工作機械の主軸の例を示しており、図１は、本発明の一実施形態のバランス調整構造を適用した回転体（主軸）にワーク等の回転対象物を取り付けた状態の一部断面斜視図である。又、図２は、回転体１から回転対象物（ワーク）４を取り外した状態を示している。  
主軸のシャフト２に回転体１が連結され、該回転体１は回転対象物（ワーク）４を取り付ける手段を備えている。この点は、従来の主軸と同一であるが、本発明のこの実施形態においては、回転体１に一体的に設けられた回転板３にラジアル方向に複数のバランス調整構造１０が設けられている点で従来の主軸と相違するものである。
【０００９】
図３は、１つのバランス調整構造１０の部分で回転板３を径方向に切断した断面図を示す図である。バランス調整構造１０は、回転板３の周面から半径方向に穿ったおもり収容穴１１と、該おもり収容穴１１に収容されたバランス調整用おもり１２と、さらに、おもり位置固定用の弾性体（スプリング）１３、及びおもり収容穴１１における回転板３の外周部に固定されたストッパ１４で構成されている。おもり収容穴１１には雌ネジが形成され、バランス調整用おもり１２には該おもり収容穴１１の雌ネジと螺合する雄ネジが設けられ、該おもり収容穴１１の雌ネジとバランス調整用おもり１２の雄ネジによってバランス調整手段を構成している。又、弾性体１３及びストッパ１４には貫通穴が設けられている。
【００１０】
まず、バランス調整用おもり１２の雄ねじとおもり収容穴１１の雌ネジを螺合させて、バランス調整用おもり１２を回転板３の周面位置から半径方向に挿入する。次にこのおもりに連接する弾性体１３をおもり収容穴１１に挿入し、最後にストッパ１４をおもり収容穴１１に嵌合し、接着剤等で固定する。バランス調整用おもり１２とストッパ１４間に介在する弾性体１３は、バランス調整用おもり１２の収容位置によって回転体のバランスを調整する調整範囲内において、圧縮された状態で、バランス調整用おもり１２を回転板３の回転中心方向に付勢するように形成されている。  
以上のようなバランス調整構造１０が回転板３に等間隔（等角度）毎に配置されている。
【００１１】
そして、この回転板３を有する回転体１にワーク等の回転対象物４を取り付け、回転体１を回転させてバランス調整する場合、各バランス調整構造１０におけるバランス調整用おもり１２の半径方向の収容位置を調整することによって、バランス調整用おもり１２による遠心力の大きさを変えバランスの調整を行う。  
図４は、このバランス調整でのおもり１２の収容位置調整の説明図である。ストッパ１４、弾性体１３は貫通孔を備えているから、該貫通孔におもり位置調整用工具２０の先端部を挿入し、バランス調整用おもり１２を回転させて該バランス調整用おもり１２の半径方向の収容位置を調整する。おもり位置調整用工具２０としては簡単なドライバーでよく、バランス調整用おもり１２の回転板３の外周面を向く端面には、ドライバーと係合する溝を形成しておき、ドライバーで該バランス調整用おもり１２を回転させることによって、バランス調整用おもり１２の範囲方向の収容位置を調整し、回転体のバランスを調整する。
【００１２】
このように、回転板３の外周面からバランス調整用おもり１２となるネジの半径方向の収容位置を無段階に調整することができるため、精密なバランス調整が可能となり、より正確に振動を抑制することができる。  
ワーク等の回転対象物４は回転体１の端面、すなわち回転板３の端面に取り付けられるものであるから、回転板３の周面は回転対象物４の形状によって、隠れることはなく、バランス調整作業を容易にするものである。又、ワーク等の回転対象物４の形状をバランス調整のために考慮する必要がなくなることから、ワーク等の設計の自由度が増すものである。
【００１３】
又、回転体１を回転させたとき、おもり１２は遠心力を受けて、回転中心から外方向に力を受けるが、おもり１２は弾性体によって、中心方向に押されているから、回転に伴って発生する遠心力で、おもり１２がおもり収容穴１１内を移動することはない。又、ストッパ１４がおもり収容穴１１の外周部位置に配置されているから、遠心力によりおもり１２や弾性体１３が外部に飛び出すことはなく安全である。
【図面の簡単な説明】
【００１４】
【図１】本発明の一実施形態のバランス調整構造を用いた回転体に回転対象物を取り付けた状態を示す一部断面斜視図である。
【図２】同回転体から回転対象物を取り外した状態を示す斜視図である。
【図３】同実施形態におけるバランス調整構造の断面斜視図である。
【図４】同実施形態におけるバランス調整構造のおもり位置調整の説明図である。
【符号の説明】
【００１５】
１  回転体
２  シャフト
３  回転板
４  回転対象物
１０  バランス調整構造
１１  おもり収容穴
１２  おもり
１３  弾性体
１４  ストッパ
２０  おもり位置調整用の工具
【図１】
2007040480.tif 000003
【図２】
2007040480.tif 000004
【図３】
2007040480.tif 000005
【図４】
2007040480.tif 000006